(57)【要約】      （修正有）【課題】ゴルフクラブヘッドを提供する。【解決手段】ゴルフクラブヘッド１１００は、トウ部、ヒール部、トップライン１１０６、およびソール部１１０４を有するゴルフクラブヘッド周囲と、打撃フェース１１１８と、ソール部の内面１１１６から打撃フェースの背面１１１９に向かって伸びるカンチレバーフェース支持タブ１１２２とを含み、カンチレバーフェース支持タブは内面に固着され、カンチレバーフェース支持タブは打撃フェースの背面には接触するけれども、固着されず、ソール部の内面からカンチレバーフェース支持タブの頂部へ垂直に測定した深さＤが１０ｍｍより大きく、３０ｍｍより小さく、打撃フェースが２ｍｍ未満のフェース厚さＦＴを有する。【選択図】図１１Ｆ
0003220762.tif 000002
【実用新案登録請求の範囲】
【請求項１】
トウ部、ヒール部、トップライン、およびソール部を有するゴルフクラブヘッド周囲と、
打撃フェースと、
上記ソール部の内面から上記打撃フェースの背面に向かって伸びるカンチレバーフェース支持タブとを有し、
上記カンチレバーフェース支持タブは上記内面に固着され、
上記カンチレバーは上記打撃フェースの上記背面には接触するけれども、固着されず、
上記打撃フェースは上記クラブヘッド周囲に溶接により固着され、
上記カンチレバーフェース支持タブは上記ソール部と一体に形成され、
上記ソール部の上記内面から上記カンチレバーフェース支持タブの頂部へ垂直に測定した深さＤが１０ｍｍより大きく、３０ｍｍより小さく、
上記カンチレバーフェース支持タブは下部および上部を有し、上記下部上記ソール部に取り付けられ、上記上部が上記打撃フェースと接触し、
上記カンチレバーフェース支持タブの上記下部の前面表面と上記打撃フェースの上記背面との間の角度として測定される角度αが１０°より大きく、５０°より小さく、
上記カンチレバーフェース支持タブのトウ方向に測定される幅Ｗが４ｍｍより大きく、２０ｍｍより小さく、
上記下部の上記深さＤに対して垂直に測定される厚さＴＬが２ｍｍより大きく、１０ｍｍより小さく、
上記上部の上記深さＤに対して垂直に測定される厚さＴＵが１ｍｍより大きく、３ｍｍより小さく、
上記カンチレバーフェース支持タブおよび上記打撃フェースの上記背面の間に形成されるコンタクトパッチの表面面積ＳＡが５ｍｍ２より大きく、
上記打撃フェースが２ｍｍ未満のフェース厚さＦＴを有し、
上記カンチレバーフェース支持タブの上記上部は上記上部と上記打撃フェースの上記背面との間に位置付けられた摩擦減少部材を含み、当該摩擦減少部材は上記カンチレバーフェース支持タブの材料と異なる材料から構築されることを特徴とするゴルフクラブヘッド。
【請求項２】
トウ部、ヒール部、トップライン、およびソール部を有するゴルフクラブヘッド周囲と、
打撃フェースと、
上記ソール部の内面から上記打撃フェースの背面に向かって伸びるカンチレバーフェース支持タブとを有し、
上記カンチレバーフェース支持タブは上記内面に固着され、
上記カンチレバーは上記打撃フェースの上記背面には接触するけれども、固着されず、
上記ソール部の上記内面から上記カンチレバーフェース支持タブの頂部へ垂直に測定した深さＤが１０ｍｍより大きく、３０ｍｍより小さく、
上記打撃フェースが２ｍｍ未満のフェース厚さＦＴを有することを特徴とするゴルフクラブヘッド。
【請求項３】
上記打撃フェースは上記クラブヘッド周囲に溶接により固着される請求項２記載のゴルフクラブヘッド。
【請求項４】
上記カンチレバーフェース支持タブは上記ソール部と一体に形成される請求項２記載のゴルフクラブヘッド。
【請求項５】
上記カンチレバーフェース支持タブは下部および上部を有し、上記下部上記ソール部に取り付けられ、上記上部が上記打撃フェースと接触する請求項２記載のゴルフクラブヘッド。
【請求項６】
上記カンチレバーフェース支持タブの上記下部の前面表面と上記打撃フェースの上記背面との間の角度として測定される角度αが１０°より大きく、５０°より小さい請求項２記載のゴルフクラブヘッド。
【請求項７】
上記カンチレバーフェース支持タブのトウ方向に測定される幅Ｗが４ｍｍより大きく、２０ｍｍより小さい請求項２記載のゴルフクラブヘッド。
【請求項８】
上記下部の上記深さＤに対して垂直に測定される厚さＴＬが２ｍｍより大きく、１０ｍｍより小さく、上記上部の上記深さＤに対して垂直に測定される厚さＴＵが１ｍｍより大きく、３ｍｍより小さい請求項５記載のゴルフクラブヘッド。
【請求項９】
上記カンチレバーフェース支持タブおよび上記打撃フェースの上記背面の間に形成されるコンタクトパッチの表面面積ＳＡが５ｍｍ２より大きい請求項２記載のゴルフクラブヘッド。
【請求項１０】
上記カンチレバーフェース支持タブの上記上部は上記上部と上記打撃フェースの上記背面との間に位置付けられた摩擦減少部材を含む請求項５記載のゴルフクラブヘッド。
【請求項１１】
上記摩擦減少部材は上記カンチレバーフェース支持タブの材料と異なる材料から構築される請求項１０記載のゴルフクラブヘッド。
【請求項１２】
トウ部、ヒール部、トップライン、およびソール部を有するゴルフクラブヘッド周囲と、
打撃フェースと、
上記ソール部の内面から上記打撃フェースの背面に向かって伸びるカンチレバーフェース支持タブとを有し、
上記カンチレバーフェース支持タブは上記内面に固着され、
上記カンチレバーは上記打撃フェースの上記背面には接触するけれども、固着されず、
上記カンチレバーフェース支持タブは下部および上部を有し、上記下部上記ソール部に取り付けられ、上記上部が上記打撃フェースと接触し、
上記打撃フェースは複数のスコアラインを有し、
上記打撃フェースは中心フェースを有し、上記中心フェースは上記複数のｓコアラインの大多数の中心を通過する上記打撃フェース上の線を有し、
上記上部は、上記打撃フェースの上記背面と接触するコンタクトパッチを有し、上記コンタクトパッチは、コンタクトパッチ中心を有し、上記コンタクトパッチ中心は上記中心フェースに対して少なくとも２ｍｍだけずれた距離ＴＯＤに位置付けられることを特徴とするゴルフクラブヘッド。
【請求項１３】
上記打撃フェースは上記クラブヘッド周囲に溶接により固着される請求項１２記載のゴルフクラブヘッド。
【請求項１４】
上記カンチレバーフェース支持タブは上記ソール部と一体に形成される請求項１２記載のゴルフクラブヘッド。
【請求項１５】
上記カンチレバーフェース支持タブの上記下部の前面表面と上記打撃フェースの上記背面との間の角度として測定される角度αが１０°より大きく、５０°より小さい請求項１２記載のゴルフクラブヘッド。
【請求項１６】
上記カンチレバーフェース支持タブのトウ方向に測定される幅Ｗが４ｍｍより大きく、２０ｍｍより小さい請求項１２記載のゴルフクラブヘッド。
【請求項１７】
上記カンチレバーフェース支持タブトウ側に角度づけられて上記カンチレバーフェース支持タブの上記下部と接地面との間の角度Ｂを形成し、上記角度Ｂは８０°より小さい請求項１２記載のゴルフクラブヘッド。
【請求項１８】
上記カンチレバーフェース支持タブおよび上記打撃フェースの上記背面の間に形成されるコンタクトパッチの表面面積ＳＡが５ｍｍ２より大きい請求項１２記載のゴルフクラブヘッド。
【請求項１９】
上記カンチレバーフェース支持タブの上記上部は上記上部と上記打撃フェースの上記背面との間に位置付けられた摩擦減少部材を含み、当該摩擦減少部材は上記カンチレバーフェース支持タブの材料と異なる材料から構築される請求項１２記載のゴルフクラブヘッド。
【請求項２０】
上記ソール部の授記内面から上記カンチレバーフェース支持タブの頂部へ垂直に測定する深さＤが１０ｍｍより大きく、３０ｍｍより小さく、上記打撃フェースは２ｍｍより小さなフェース厚さＦＴを有する請求項１２記載のゴルフクラブヘッド。
【考案の詳細な説明】
【技術分野】
【０００１】
この考案は、ゴルフクラブヘッドに関し、とくにその打撃フェース撓み構造に関する。
【背景技術】
【０００２】
ゴルフのラウンドを完了するのに必要なスイングの総数を減らし、その結果、トータルスコアを下げることがゴルファーにとっての目標である。その目的を達成するためには、ゴルファーが、同一のゴルフクラブで撃ったときには、一貫性のある距離のボール飛行を実現し、また、いくつかのクラブは長距離のボール飛行を実現することが一般に望ましい。例えば、ゴルファーがゴルフボールをわずかにミスヒットする場合、ゴルファーはゴルフボールが著しく異なる距離を飛ぶことを望まない。同時に、ゴルファーがゴルフクラブの「スウィートスポット」でボールを打っていながら、ボールを打つ度に、大幅に減少した全体的な距離となることを望んでいない。
【０００３】
なお、打撃フェースの背面にリブを設けて補強を行うことについては米国特許第４，８２６，１７２号明細書、同第４，９３８，４７０号明細書、および同第５，５４７，４７０号明細書に記載がある。
【先行技術文献】
【特許文献】
【０００４】
【特許文献１】米国特許第４，８２６，１７２号明細書
【特許文献２】米国特許第４，９３８，４７０号明細書
【特許文献３】米国特許第５，５４７，４７０号明細書
【考案の概要】
【０００５】
この技術の非制約的な実施例は、以下のゴルフクラブヘッドを含み、このゴルフクラブヘッドは：トウ部、ヒール部、トップライン、およびソール部を有するゴルフクラブヘッド周囲と；打撃フェースと；上記ソール部の内面から上記打撃フェースの背面に向かって伸びるカンチレバーフェース支持タブとを有し；上記カンチレバーフェース支持タブは上記内面に固着され；上記カンチレバーは上記打撃フェースの上記背面には接触するけれども、固着されず；上記打撃フェースは上記クラブヘッド周囲に溶接により固着され；上記カンチレバーフェース支持タブは上記ソール部と一体に形成され；上記ソール部の上記内面から上記カンチレバーフェース支持タブの頂部へ垂直に測定した深さＤが１０ｍｍより大きく、３０ｍｍより小さく；上記カンチレバーフェース支持タブは下部および上部を有し、上記下部上記ソール部に取り付けられ、上記上部が上記打撃フェースと接触し；上記カンチレバーフェース支持タブの上記下部の前面表面と上記打撃フェースの上記背面との間の角度として測定される角度αが１０°より大きく、５０°より小さく；上記カンチレバーフェース支持タブのトウ方向に測定される幅Ｗが４ｍｍより大きく、２０ｍｍより小さく；上記下部の上記深さＤに対して垂直に測定される厚さＴＬが２ｍｍより大きく、１０ｍｍより小さく；上記上部の上記深さＤに対して垂直に測定される厚さＴＵが１ｍｍより大きく、３ｍｍより小さく；上記カンチレバーフェース支持タブおよび上記打撃フェースの上記背面の間に形成されるコンタクトパッチの表面面積ＳＡが５ｍｍ２より大きく；上記打撃フェースが２ｍｍ未満のフェース厚さＦＴを有し、
上記カンチレバーフェース支持タブの上記上部は上記上部と上記打撃フェースの上記背面との間に位置付けられた摩擦減少部材を含み、当該摩擦減少部材は上記カンチレバーフェース支持タブの材料と異なる材料から構築される。
【０００６】
この技術の付加的な非制約的な実施例は、以下のゴルフクラブヘッドを含み、このゴルフクラブヘッドは：トウ部、ヒール部、トップライン、およびソール部を有するゴルフクラブヘッド周囲と；打撃フェースと；上記ソール部の内面から上記打撃フェースの背面に向かって伸びるカンチレバーフェース支持タブとを有し；上記カンチレバーフェース支持タブは上記内面に固着され；上記カンチレバーは上記打撃フェースの上記背面には接触するけれども、固着されず；上記ソール部の上記内面から上記カンチレバーフェース支持タブの頂部へ垂直に測定した深さＤが１０ｍｍより大きく、３０ｍｍより小さく；上記打撃フェースが２ｍｍ未満のフェース厚さＦＴを有する。
【０００７】
この技術の付加的な非制約的な実施例において、上記打撃フェースは上記クラブヘッド周囲に溶接により固着される。
【０００８】
この技術の付加的な非制約的な実施例において、上記カンチレバーフェース支持タブは上記ソール部と一体に形成される。
【０００９】
この技術の付加的な非制約的な実施例において、上記カンチレバーフェース支持タブは下部および上部を有し、上記下部上記ソール部に取り付けられ、上記上部が上記打撃フェースと接触する。
【００１０】
この技術の付加的な非制約的な実施例において、上記カンチレバーフェース支持タブの上記下部の前面表面と上記打撃フェースの上記背面との間の角度として測定される角度αが１０°より大きく、５０°より小さい。
【００１１】
この技術の付加的な非制約的な実施例において、上記カンチレバーフェース支持タブのトウ方向に測定される幅Ｗが４ｍｍより大きく、２０ｍｍより小さい。
【００１２】
この技術の付加的な非制約的な実施例において、上記下部の上記深さＤに対して垂直に測定される厚さＴＬが２ｍｍより大きく、１０ｍｍより小さく、上記上部の上記深さＤに対して垂直に測定される厚さＴＵが１ｍｍより大きく、３ｍｍより小さい。
【００１３】
この技術の付加的な非制約的な実施例において、上記カンチレバーフェース支持タブおよび上記打撃フェースの上記背面の間に形成されるコンタクトパッチの表面面積ＳＡが５ｍｍ２より大きい。
【００１４】
この技術の付加的な非制約的な実施例において、上記カンチレバーフェース支持タブの上記上部は上記上部と上記打撃フェースの上記背面との間に位置付けられた摩擦減少部材を含む。
【００１５】
この技術の付加的な非制約的な実施例において、上記摩擦減少部材は上記カンチレバーフェース支持タブの材料と異なる材料から構築される。
【００１６】
この技術の付加的な非制約的な実施例は、以下のゴルフクラブヘッドを含み、このゴルフクラブヘッドは：トウ部、ヒール部、トップライン、およびソール部を有するゴルフクラブヘッド周囲と；打撃フェースと；上記ソール部の内面から上記打撃フェースの背面に向かって伸びるカンチレバーフェース支持タブとを有し；上記カンチレバーフェース支持タブは上記内面に固着され；上記カンチレバーは上記打撃フェースの上記背面には接触するけれども、固着されず；上記カンチレバーフェース支持タブは下部および上部を有し、上記下部上記ソール部に取り付けられ、上記上部が上記打撃フェースと接触し；上記打撃フェースは複数のスコアラインを有し；上記打撃フェースは中心フェースを有し、上記中心フェースは上記複数のｓコアラインの大多数の中心を通過する上記打撃フェース上の線を有し；上記上部は、上記打撃フェースの上記背面と接触するコンタクトパッチを有し、上記コンタクトパッチは、コンタクトパッチ中心を有し、上記コンタクトパッチ中心は上記中心フェースに対して少なくとも２ｍｍだけずれた距離ＴＯＤに位置付けられる。
【００１７】
この技術の付加的な非制約的な実施例において、上記打撃フェースは上記クラブヘッド周囲に溶接により固着される。
【００１８】
この技術の付加的な非制約的な実施例において、上記カンチレバーフェース支持タブは上記ソール部と一体に形成される。
【００１９】
この技術の付加的な非制約的な実施例において、上記カンチレバーフェース支持タブの上記下部の前面表面と上記打撃フェースの上記背面との間の角度として測定される角度αが１０°より大きく、５０°より小さい。
【００２０】
この技術の付加的な非制約的な実施例において、上記カンチレバーフェース支持タブのトウ方向に測定される幅Ｗが４ｍｍより大きく、２０ｍｍより小さい。
【００２１】
この技術の付加的な非制約的な実施例において、上記カンチレバーフェース支持タブトウ側に角度づけられて上記カンチレバーフェース支持タブの上記下部と接地面との間の角度Ｂを形成し、上記角度Ｂは８０°より小さい。
【００２２】
この技術の付加的な非制約的な実施例において、上記カンチレバーフェース支持タブおよび上記打撃フェースの上記背面の間に形成されるコンタクトパッチの表面面積ＳＡが５ｍｍ２より大きい。
【００２３】
この技術の付加的な非制約的な実施例において、上記カンチレバーフェース支持タブの上記上部は上記上部と上記打撃フェースの上記背面との間に位置付けられた摩擦減少部材を含み、当該摩擦減少部材は上記カンチレバーフェース支持タブの材料と異なる材料から構築される。
【００２４】
この技術の付加的な非制約的な実施例において、上記ソール部の授記内面から上記カンチレバーフェース支持タブの頂部へ垂直に測定する深さＤが１０ｍｍより大きく、３０ｍｍより小さく、上記打撃フェースは２ｍｍより小さなフェース厚さＦＴを有する。
【００２５】
この要約は、以下の詳細な説明でさらに説明する概念を選択的、かつ簡略化した形態で紹介するものである。  この概要は、この考案の主題の重要な特徴または本質的な特徴を特定することを意図するものではなく、この考案の範囲を限定するために使用されることを意図するものではない。
【００２６】
この考案のこれらの、または他の特徴、側面、および利点は以下の図面、説明および実用新案登録請求の範囲を参照して理解されるであろう。
【図面の簡単な説明】
【００２７】
この考案の、先の、または他の特徴および利点は、添付図面において図説される、この考案の以下の説明から明らかであろう。添付図面はここに組み入れて明細書の一部を構成し、この考案の原理を説明するのに役立ち、当業者がこの考案を実施することを可能にする。
【００２８】
【図１Ａ】リブをゴルフクラブヘッドの重心の近傍に配置された、ゴルフクラブヘッドの部分斜視図を示す。
【図１Ｂ】リブをゴルフクラブヘッドの重心の近傍に配置された、ゴルフクラブヘッドの部分斜視図を示す。
【図１Ｃ】従来の薄いフェースの中空アイアンと比較した、リブを具備するゴルフクラブヘッドの打出し速度のプロットを示す。
【図２】リブをゴルフクラブヘッドのトップラインにほぼ直交させた、ゴルフクラブヘッドの部分正面図を示す。
【図３】リブを、ゴルフクラブヘッドのヒール部のフェースエッジにほぼ直交して延在させた、ゴルフクラブヘッドの部分正面図を示す。
【図４】ロッドをゴルフクラブヘッドの背部から延在させたゴルフクラブヘッドの部分斜視図を示す。
【図５Ａ】打撃フェースの対称部分を形成するように配置されたリブを有する、ゴルフクラブヘッドの部分正面図を示す。
【図５Ｂ】打撃フェースが取り付けられた図５Ａのゴルフクラブヘッドの斜視図を示す。
【図６Ａ】打撃フェースの対称部分を形成するように配置された二つのリブを有する、ゴルフクラブヘッドの部分正面図を示す。
【図６Ｂ】図６Ａに図示されたゴルフクラブヘッドの斜視図を示す。
【図７Ａ】フレックス支持構造体を有するゴルフクラブヘッドの正面図を示す。
【図７Ｂ】図７Ａのゴルフクラブヘッドの断面図を示す。
【図７Ｃ】ゴルフクラブヘッドにおいて利用されるフレックス支持構造体の断面図を示す。
【図７Ｄ】ゴルフクラブヘッドにおいて利用されるフレックス支持構造体の断面図を示す。
【図７Ｅ】ゴルフクラブヘッドにおいて利用されるフレックス支持構造体の断面図を示す。
【図７Ｆ】可変フレックス支持構造体を有するゴルフクラブヘッドの正面図を示す。
【図７Ｇ】図７Ｆのゴルフクラブヘッドにおける可変フレックス支持構造体の断面図を示す。
【図７Ｈ】図７Ｆのゴルフクラブヘッドにおける可変フレックス支持構造体の断面図を示す。
【図７Ｉ】図７Ｆのゴルフクラブヘッドにおける可変フレックス支持構造体の断面図を示す。
【図８Ａ】フレックス支持構造体および打撃フェースの対称部分を形成するように配置されたリブを有するゴルフクラブヘッドを示す。
【図８Ｂ】図８Ａに図示されたゴルフクラブの断面図を示す。
【図８Ｃ】図８Ａに図示されたゴルフクラブの断面図を示す。
【図８Ｄ】図８Ａに図示されたゴルフクラブの断面図を示す。
【図９Ａ】複数のプリロードされたカンチレバーを供奉しるゴルフクラブヘッドの正面図を示す。
【図９Ｂ】打撃フェースを取り付ける前の、図９Ａに示すゴルフクラブヘッドの右断面図を示す。
【図９Ｃ】打撃フェースを取り付けた後の、図９Ａに示すゴルフクラブヘッドの右断面図を示す。
【図９Ｄ】図９Ｃに示すゴルフクラブヘッド９００の部分の拡大図を示す。
【図１０Ａ】ゴルフクラブヘッドの周囲から少なくとも部分的に撓むエッジを伴う打撃フェースを具備するゴルフクラブヘッドの正面図を示す。
【図１０Ｂ】図１０Ａに示されたゴルフクラブヘッドの右断面図を示す。
【図１０Ｃ】打撃フェースを取り付けた後の、図１０Ａおよび図１０Ｂの右断面図を示す。
【図１１Ａ】ゴルフクラブヘッドの正面図を示す。
【図１１Ｂ】図１１Ａのゴルフクラブヘッドの右側面図を示す。
【図１１Ｃ】図１１Ａのゴルフクラブヘッドの斜視図を示す。
【図１１Ｄ】カンチレバーフェース支持タブを含む、図１１Ａのゴルフクラブヘッドの背面図を示す。
【図１１Ｅ】図１１Ａのゴルフクラブヘッドの斜視図を示す。
【図１１Ｆ】図１１Ａのゴルフクラブヘッドの右断面図を示す。
【図１１Ｇ】図１１Ａのゴルフクラブヘッドの斜視断面図を示す。
【図１１Ｈ】打撃フェースを取り除いた、図１１Ａのゴルフクラブヘッドの正面断面図を示す。
【図１２Ａ】カンチレバーフェース支持タブを含むゴルフクラブヘッドの背面図を示す。
【図１２Ｂ】図１２Ａのゴルフクラブヘッドの背面斜視図を示す。
【図１２Ｃ】打撃フェースを取り除いた、図１２Ａのゴルフクラブヘッドの正面断面図を示す。
【図１２Ｄ】摩擦低減部材を含む、図１２Ａのゴルフクラブヘッドの背面斜視図を示す。
【図１２Ｅ】図１２Ｄのゴルフクラブヘッドの右断面図を示す。
【考案を実施するための形態】
【００２９】
以下の詳細な説明は、この考案を現状で最も良く考えられた態様で実現するものである。この記載は限定的な意図で把握されるのでなく、単に、この考案の全体的な原理を説明する目的でなされ、この考案の範囲は添付の実用新案登録請求の範囲の記載により最も良く規定される。
【００３０】
以下の説明される種々の考案の特徴は、各々、相互に独立して採用でき、また他の特徴と組みあわされて採用できる。ただし、いずれの１つの考案の特徴も上述した問題のいずれかまたはすべてに対処するものでなくともよく、上述した問題の１つに対処するものであってもよい。さらに上述の問題の１つまたはそれ以上が以下で説明されるいずれの特徴によっても充分に対処されなくとも良い。
【００３１】
ここに記載される技術は、当該ゴルフクラブヘッドの打撃フェースの背面へと延びる、または近接する１または複数のフェース支持要素（例えば、リブ、ロッド、支持構造体等）を組み込んだアイアンタイプのゴルフクラブヘッドを企図する。１または複数のこれらの要素を含ませることによって、ゴルフクラブヘッドの打撃フェースの撓みパターンを制御できる。伝統的な中空のアイアンタイプのゴルフクラブでは、打撃フェースの幾何学的中心において最大のたわみを有するように打撃フェースがクラブヘッドに取り付けられている。このような設計では、ゴルフボールがフェースの中心で打たれたときに飛行距離が大きくなる可能性があるが、ゴルフボールの中心から外れたス打撃では、ゴルフボールの飛距離に大きな変化をもたらす。１または複数のフェース支持要素をゴルフクラブヘッドに組み込むことによって、打撃フェースの撓みパターンを変更して、打撃フェースのより広い領域にわたるボール打撃から、より一貫したボール飛行を実現することができる。
【００３２】
加えて、従来の中空のアイアンタイプのゴルフクラブヘッドでは、ゴルフクラブフェースの不規則な形状によって、クラブフェースから外れてゴルフボールが打ち出されるという問題を引き起こす。例えば、従来のゴルフクラブフェースは、ゴルフクラブのトウに向かってより大きな表面積を有し、ゴルフクラブのヒールに向かってより少ない表面積を有する。その形状に起因して、ボールを打つ際のフェースの撓みは対称ではなく、ゴルフボールが望ましくない角度で打ち出される可能性がある。本技術は、打撃フェースの対称部分を形成するために、ゴルフクラブヘッドの後部から打撃フェースの背面まで延びる１または複数のリブを提供する。打撃フェースの対称部分がゴルフボールを打撃すると、改良された打上げ特性が達成される。
【００３３】
図１Ａおよび図１Ｂは、ゴルフクラブヘッド１００の斜視図を示し、このゴルフクラブヘッド１００は、当該ゴルフクラブヘッド１００の重心１２０の近くにリブ１０２を配置している。ゴルフクラブヘッド１００は、ソール部１０４、トップライン１０６、トウ部１０８、ヒール部１１０、および後方部１１２を含む。リブ１０２はトップライン１０６からソール部１０４に、当該ソール部１０４と値実質的に直交する角度で伸びている。リブ１０２は、また、後方部１１２から打撃フェース１１８の背面へと延びており、これは図１Ｂに示すとおりである。リブ１０２を含むことにより、２つのキャビティ１４０、１４２が形成される。第１のキャビティ１４０は、後方部１１２、ヒール部１１０、トップライン１０６、リブ１０２、ソール部１０４、および打撃フェース１１８によって形成される。第２のキャビティ１４２は、後方部１１２、リブ１０２、トップライン１０６、ヒール部１１０のフェースエッジ１１４、ソール部１０４、および打撃フェース１１８によって形成される。
【００３４】
リブ１０２は、ゴルフクラブヘッド１００の鋳造プロセスの一部として形成されて良い。リブ１０２は、鋳造プロセスの後に挿入され、溶接または他の取り付け方法によってゴルフクラブヘッド１００の他の構成要素に取り付けられて良い。例えば、リブ１０２は、後方部１１２、トップライン１０６、およびソール部１０４に溶接されてもよい。いくつかの例では、リブは、打撃フェース１１８の背面に溶接されても良い。
【００３５】
打撃フェース１１８は、トウ部１０８からヒール部１１０にわたる単一のフェースインサートとして取り付けられても良い。例えば、打撃フェース１１８は、ソール部１０４、トウ部１０８、トップライン１０６、およびヒール部１１０のフェースエッジ１１４に溶接されて良い。上述したように、打撃フェース１１８は、リブ１０２に溶接されても良い。他の例では、打撃フェース１１８は、２つ以上の部品で作られて良い。打撃フェース１１８の第１の部分（キャビティ１４２の上に配置される）は第１の厚さを有し、打撃フェース１１８の第２の部分（キャビティ１４０の上に配置される）は第２の厚さを有して良い。さらに他の例では、打撃フェース１１８は、キャビティ１４２上の打撃フェース１１８の第１の部分が第１の厚さを有し、打撃フェース１１８の第２の部分が第２の厚さを有するように可変厚さを有する単一のフェースインサートであって良い。
【００３６】
ゴルフボールが、打撃フェース１１８において、リブ１０２によって裏打ちされた部分で当たると、打撃フェース１１８は、リブ１０２なしの場合に比べ、より少ない距離だけ撓む。打撃フェース１１８は、リブ１０２によって裏打ちされた部分で打たれると、より少なくしか撓まないので、ボールは、リブ１０２がない点以外は同じであるクラブで打たれた場合よりも僅かに減少した打ち出し速度をもたらす。ゴルフボールが、２つのキャビティ１４０、１４２のうちの１つの部分で打撃フェース１１８に打撃を与えると、打撃フェース１１８は、それぞれのキャビティの中へと撓む。その撓みは、ゴルフボールに付加的な打ち上げ速度を加える。しかしながら、各キャビティへの撓みは、クラブがリブ１０２を有していない場合よりも依然として少ない。このような全体的な打ち出し速度の低下は望ましくないように見えるが、打ち出し速度の僅かな低下は、打撃フェース１１８の全体にわたってなされる打撃から、より一貫性のある打ち出し速度をもたらす。例えば、ボールが重心１２０に最も近くで打撃フェース１１８を打撃したときは、しばしばゴルフボールの最大打上げ速度をもたらす。したがって、重心１２０の位置にリブ１０２を配置することによって重心１２０における面の撓みを除去することにより、最高打ち出し速度が、打撃の他の部分からの打ち上げ速度に近づくように低減される。
【００３７】
図１Ｃは、従来の薄いフェースの中空アイアンと比較して、リブ１０２を有するゴルフクラブヘッド１００の打ち出し速度の結果の例のプロットを示す。打撃フェースに沿った、打ち上げ速度は、複数の構成例について記録された。例１は、２．１ｍｍのフェース厚さを有するベースライン中空アイアンであった。例２は、リブ１０２を有する多重厚さのフェースを有するアイアンであり、打撃フェース１１８の第１のキャビティ１４０上の部分の厚さは１．９ｍｍであり、打撃フェース１１８の第２のキャビティ１４２上の部分の厚さ１．７ｍｍであった。例３は、２．１ｍｍのフェース厚さを有し、リブ１０２も有するアイアンであった。例１では、フェースの中心で打たれたボールは約１３４．１ｍｐｈの打ち上げ速度を有していた。トウにおいて打たれたボールは、約６．９ｍｐｈだけ打ち上げ速度を失い、ヒールにおいて打たれたボールは約１．０ｍｐｈだけ打ち上げ速度を失った。例２の場合、フェースの中心で打たれたボールは、約１３３．０ｍｐｈの打ち上げ速度を有し、トウで打たれたボールは約６．０ｍｐｈだけ打ち上げ速度を失い、ヒールで打たれたボールは約０．４ｍｐｈだけ打ち上げ速度を失った。例３の場合、フェースの中心で打たれたボールは、約１３３．０ｍｐｈの打ち上げ速度を有し、トウで打たれたボールは約６．０ｍｐｈだけ打ち上げ速度を失い、ヒールで打たれたボールは約０．６ｍｐｈだけ打ち上げ速度を失った。注目すべきことに、例２および３は、中央およびトウにおいて同じ打ち出し速度を有していた。したがって、リブ１０２を有するゴルフクラブヘッドは、最大打ち出し速度をわずかに減少させるが、ゴルフクラブのフェース全体にわたって改善された打ち出し速度を保持することができ、したがって、そのクラブによって多大な一貫性のある距離制御を実現でき、とくに、多重厚さの打撃フェースを有するゴルフクラブはそれが顕著である。
【００３８】
図２は、ゴルフクラブヘッド２００のトップライン２０６に対して実質的に直交するように延びるリブ２０２を有するゴルフクラブヘッド２００の部分正面図を示す。その他の点では、ゴルフクラブヘッド２００は、図１Ａおよび図１Ｂに示すゴルフクラブヘッド１００と実質的に類似である。リブ２０２は、後方部２１２および打撃フェース（図示せず）の背面に取り付けられて良い。ゴルフクラブヘッド１００と同様に、２つのキャビティ２４０、２４２が、リブ２０２によって形成される。第１のキャビティ２４０は、少なくとも部分的に、後方部２１２、トウ部２０８、トップライン２０６、リブ２０２、およびソール部２０４によって形成される。第２のキャビティ２４２は、少なくとも部分的に、後方部２１２、リブ２０２、トップライン２０６、ヒール部２１０のフェースエッジ２１４、およびソール部２０４によって形成される。また、多重厚さフェースが、ゴルフクラブヘッド２００においても採用されて良い。
【００３９】
図３は、ヒール部３１０のフェースエッジ３１４に対して実質的に直交するように延びるリブ３０２を有するゴルフクラブヘッド３００の部分正面図を示す。その他の点については、ゴルフクラブヘッド３００は、図１Ａ−１Ｂに示すゴルフクラブヘッド１００と実質的に類似である。ゴルフクラブがボールにアドレスするとき、リブ３０２は地面と実質的に平行であって良い。リブ３０２は、後方部３１２および打撃フェースの背面に取り付けられて良い。図１Ａ〜図１Ｂに示すゴルフクラブヘッド１００と同様に、リブ３０２によって２つのキャビティ３４０、３４２が形成される。第１のキャビティ３４０は、後方部３１２、トウ部３０８、トップライン３０６、リブ３０２、およびヒール部３１０のフェースエッジ３１４によって形成される。第２のキャビティ３４２は、後方部３１２、リブ３０２、ソール部３０４、ヒール部３１０、およびトウ部３０８によって形成される。単一厚さまたは多重厚さの打撃フェースが、ゴルフクラブヘッド３００においても採用されて良い。
【００４０】
図４は、ゴルフクラブヘッド４００の後方部４１２からゴルフクラブヘッド４００の打撃フェースまで延びるロッド４０２を伴うキャビティ４４０を有するゴルフクラブヘッド４００の斜視図を示す。ロッド４０２は、後方部４１２から打撃フェース（図示せず）の背面にへと延びる。図１〜図３において先に説明したリブと異なり、ロッド４０２は、トップライン４０６、ソール部４０４、トウ部４０８、またはヒール部４１０のフェースエッジ４１４に直接的に結合されていない。ロッド４０２はゴルフクラブヘッド４００の重心４２０に位置決めされても良い。上述したリブと同様に、ゴルフボールがロッド４０２によって裏打ちされた打撃フェースの部分に当たると、打撃フェースはロッドを欠いたゴルフクラブと比較して変位が減少する。ゴルフボールがロッド４０２によって支持されていない打撃フェースの部分に当たると、打撃フェースはいくらか変位し、ゴルフボールの打ち出し速度に増加させる。このように、ヒール部４１０、トウ部４０８、トップライン４０６、またはソール部４０４に向かって中心からずれたゴルフボールは、図１Ｃを参照して先に説明したリブ１０２の結果と同様に、より良好に距離を維持する。例えば、直径１５ｍｍのロッド４０２と厚さ２．１ｍｍの打撃フェースを有するゴルフクラブでは、フェースの中心で打たれたボールの打ち出し速度は１３２．８ｍｐｈであり、トウ方向にずれた状態で打たれたボールが６．５ｍｐｈだけ打ち出し速度を失われ、ヒールに方向にずれた状態で打たれたボールは、０．４ｍｐｈだけ打ち出し速度を失った。
【００４１】
図５Ａは、打撃フェース５１８の対称部分５５０を形成するように配置されたリブ５０２を有するゴルフクラブヘッド５００の部分正面図を示し、図５Ｂは、ゴルフクラブヘッド５００の斜視図を示す。リブ５０２は、トップライン５０６からソール部５０４まで延び、後方部５１２から打撃フェース５１８の背面まで延在する。しかしながら、リブ５０２は、一直線には伸びない。その代わりに、リブ５０２は、トップライン５０６およびヒール部５１０のフェースエッジ５１４の形状に対して実質的に鏡像をなす形状を有する。このような形状を有するリブ５０２によって、打撃フェース５１８は、トップライン５０６の接触する打撃フェース５１８の部分、ソール部５０４、ヒール部５１０のフェースエッジ５１４、およびリブ５０２によって形成される対称部分５５０を有する。この対称部分５５０は、対称線Ａに関して対称である。三次元においては、対称部分５５０は、打撃フェース５１８によって形成される平面に直交する平面に関して対称である。図５Ａ〜５Ｂに示す例において、対称部分５５０は、ホームプレートの形状に類似した２つの平行な辺を有する不規則な五角形形状を有する。他の潜在的な対称形状を採用して良い。
【００４２】
２つのキャビティ５４０、５４２も、また、リブ５０２を含むことによって形成される。第１のキャビティ５４２は、後方部５１２、リブ５０２、ソール部５０４、トップライン５０６、および、ヒール部５１０のフェースエッジ５１４によって形成される。第２のキャビティ５４０は、後方部５１２、リブ５０２、ソール部５０４、トウ部５０８、およびトップライン５０６によって形成される。
【００４３】
多重厚さタイプの打撃フェース５１８を、また、ゴルフクラブヘッド５００に採用して良い。例えば、打撃フェース５１８の対称部分５５０は第２の厚さを有し、打撃フェース５１８の非対称部分５５２は第２の厚さを有して良い。打撃フェース５１８の非対称部分５５２は、トップライン５０６、トウ部５０８、ソール部５０４、およびリブ５０２との接触によって形成される。いくつかの例において、打撃フェース５１８の対称部分５５０の厚さ、例えば、打撃フェース５１８の非対称部分５５２より厚くて良い。例えば、非対称部分５５２が統計的に対称部分５５０より少なく打撃されるので、非対称部分５５２の厚さは、対称部分５５０の厚さ薄くされて良い。１つの例において、非対称部分５５２の打撃フェース５１８の厚さは対称部分の厚さの約８０％以下である。いくつかの実施例において、非対称部分５５２の厚さは、約０．５ｍｍから約１．５ｍｍの範囲内である。１例において、その範囲は約０．７５ｍｍから約１．２５ｍｍであり、または約０．９５〜約１．０５ｍｍである。打撃フェース５１８は、また、２つのピース、すなわち対称部分５５０のための１つのピースと、非対称部分５５２のためのもう１つのピースから形成されて良い。このような例では、打撃フェースの対称部分５５０は、変更なしで左利きゴルフクラブと右利きゴルフクラブに組み込むことができる。
【００４４】
種々の打撃フェースピースは、また、種々の材料から製造されて良い。例えば、非対称部分５５２は、アルミニウム、チタン、またはプラスチックのような軽量材料で製造されて良い。他の例では、ゴルフクラブヘッド５００の重心を変更するために、より重い材料を非対称部分５５２に使用して良い。第２のキャビティ５４０は、所定の材料によって充填され、または部分的に充填され、ゴルフクラブヘッド５００の重心を変更して良い。
【００４５】
リブ５０２を含む対称部分５５０を形成することによって、ゴルフボールの打ち出し特性を改善することができる。リブ５０２のない伝統的なゴルフクラブでは、打撃フェースがゴルフクラブの外周にのみ取り付けられているため、当該打撃フェースは非対称である。非対称性に起因して、ゴルフボールがヒールからトウまでの打撃フェースに沿った様々な位置で打たれると、不均一な打ち出し特性が生じる。例えば、ゴルフボールのサイドピン、バックスピン、打ち出し方向、および打ち出し速度は、ボールが打撃フェースのどこで打撃されるかに応じて異なるものとなる。対称部分５５０を有する打撃フェース５１８では、打撃フェース５１８の対称部分５５０にわたってより一貫した打上げ特性が実現される。
【００４６】
図６Ａは、打撃フェース６１８の対称部分６５０を形成するように配置された２つのリブ６０２、６２２を有するゴルフクラブヘッド６００の正面図を示し、図６Ｂは、ゴルフクラブヘッド６００の斜視図を示す。ゴルフクラブヘッド６００は、単一のリブではなく２つのリブ６０２、６２２を含む。第１のリブ６０２は、トップライン６０６からトウ部６０８まで延びている。第２のリブ６２２は、第１のリブ６０２からソール部６０４まで延びている。第１のリブ６０２および第２のリブ６２２は、また、後方部６１２から打撃フェース６１８の背面へと延びている。図６Ａおよび図６Ｂに示す例において、第１のリブ６０２および第２のリブ６２２は、トップライン６０６およびヒール部６１０のフェースエッジ６１４の形状に対して実質的に鏡像をなすように配置されている。第１のリブ６０２および第２のリブ６２２をそのような形状に配置することによって、打撃フェース６１８は、打撃フェース６１８の、トップライン６０６と接触する部分、ソール部６０４、ヒール部６１０のフェースエッジ６１４、第１のリブ６０２および第２のリブ６２２によって形成される対称部分６５０を有する。対称部分６５０は、対称線Ａに関して対称である。図６Ａ〜図６Ｂに示す例において、対称部分６５０は、ホームプレートの形状に類似した２つの平行な辺を有する不規則な五角形形状を有する。他の潜在的な対称形状を使用して良い。さらに、追加のリブをゴルフクラブヘッド６００に組み込んで、他の対称形状を形成して良い。
【００４７】
ゴルフクラブヘッド６００には、３つの空洞が形成されている。第１のキャビティ６４２は、後方部６１２、トップライン６０６、第１のリブ６０２、第２のリブ６２２、ソール部６０４、およびヒール部６１０のフェースエッジ６１４によって形成されている第２のキャビティ６４０は、後方部６１２、第１のリブ６０２、第２のリブ６２２、ソール部６０４、およびトウ部６０８によって形成される。第３のキャビティ６４４は、トップライン６０６、トウ部６０８、および第１のリブ６０２によって形成される。第１のキャビティ６４２によって裏打ちされる打撃フェース６１８の部分は、打撃フェース６１８の対称部分６５０である。
【００４８】
図５Ａ〜図５Ｂのゴルフクラブヘッド５００と同様に、ゴルフクラブヘッド６００は、多重厚さタイプの打撃フェース６１８を具備して良い。例えば、打撃フェース６１８の対称部分６５０は、第１の厚さを有して良い。第２のキャビティ６４０によって裏打ちされた打撃フェース６１８の第１の非対称部分６５２は第２の厚さを有し、第３のキャビティ６４４によって裏打ちされる打撃フェース６１８の第２の非対称部分６５４は第３の厚さを有して良い。いくつかの例では、第１の厚さは第２の厚さよりも大きく、第２の厚さは第３の厚さよりも大きい。例えば、第２の厚さは、対称部分６５０の厚さの約８０％以下であって良く、第３の厚さは、対称部分６５０の厚さの約５０％以下であって良い。第２の厚さおよび第３の厚さは、約０．５ｍｍから約１．５ｍｍの範囲である。いくつかの例では、この範囲は約０．７５ｍｍから約１．２５ｍｍであり、または、約０．９５〜約１．０５ｍｍである。いくつかの例では、第３のキャビティ６４４の背後の後方部６１２の部分は、後方部の残りの部分よりも薄くて良い。打撃フェース６１８は、また、３つのピース、すなわち対称部分６５０のための第１のピース、第１の非対称部分６５２のための第２のピース、および第２の非対称部分６５４のための第３のピースから形成されて良い。他の例において、打撃フェース６１８は、また、２つのピースから形成されて良く、すなわち、対称部分６５０および第２のキャビティを裏打ちする部分のための第１のピースと、第３のキャビティ６４４によって裏打ちされた部分のための第２のピースとから形成されて良い。２ピースまたは３ピースの打撃フェースのいずれの場合も、打撃フェース６１８の対称部分６５０は、修正なしに左利きゴルフクラブおよび右利きゴルフクラブの両方に組み込むことができる。打撃フェース６１８の対称部分６５０は、図５Ａおよび図５Ｂで説明したゴルフクラブヘッドの対称部分５５０と同様の打ち出し特性の利点を実現する。
【００４９】
打撃フェースの種々のピースは、また、種々の材料から製造して良い。例えば、非対称部分６５２、６５４を覆う打撃フェースのピースは、アルミニウム、チタンまたはプラスチックのような軽量材料で製造して良い。他の例では、ゴルフクラブヘッド６００の重心を変更するために、より重い材料を非対称部分６５２、６５４を覆う打撃フェースのピースに使用して良い。第２のキャビティ６４０および第３のキャビティ６４４は、ゴルフクラブヘッド６００の重心を変更するための材料で充填されるか、または部分的に充填されて良い。
【００５０】
図７Ａは、フレックス支持構造体７３０を有するゴルフクラブヘッド７００の正面図を示し、図７Ｂは、図７に示された断面に沿ったゴルフクラブヘッド７００の右側断面図を示す。フレックス支持構造体７３０は、ゴルフクラブヘッド７００の周囲に形成される。一例において、フレックス支持構造体７３０は、トップライン７０６、トウ部７０８、ソール部７０４、およびヒール部７１０のフェースエッジ７１４の上に形成され、または実装されて良い。フレックス支持構造体７３０は、打撃フェース７１８と後方部７１２の間のキャビティ７４０内に突出し、または伸びる。いくつかの例では、フレックス支持構造体７３０は、打撃フェース７１８の背面に対面する湾曲面を具備する。打撃フェース７１８が非偏向位置にあるとき（図７Ｂに示すように）、打撃フェース７１８は、フレックス支持構造体の湾曲面の一部と接触していない。ゴルフボールを打つときのように、打撃フェース７１８が撓むと、打撃フェース７１８の背面は、フレックス支持構造体７３０の腕局面により多く接触するようになる。打撃フェース７１８とフレックス支持構造体７３０の腕局面との間の接触が多くなるとき（より大きな打撃フェース７１８が撓むため）、フレックス支持構造体７３０は打撃フェース７１８を支持し、打撃フェース７１８がさらに撓むにつれて打撃フェース７１８のスパンを効果的に低減する。
【００５１】
フレックス支持構造体７３０を組み込むことによって、打撃フェース７１８の厚さを減少させて良い。伝統的なゴルフクラブでは、打撃フェースの厚さは、プレーヤのスイング速度に基づいて良い。例えば、より薄い打撃フェースは、打撃フェースがより容易に撓み、より速い打ち出し速度を実現するので、より遅いスイングスピードを有するプレーヤにとってより有用である。しかし、高スイングスピードのプレーヤが同じクラブを使用する場合、打撃フェースがあまりにも偏向するので、薄い打撃フェースは壊れる可能性がある。従って、高いスウィングスピードのプレーヤには一般により厚いフェースが必要とされる。しかしながら、フレックス支持構造体７３０を組み込むことにより、単一の薄い打撃フェース７１８を広い範囲のスイング速度のために使用することが可能になる。より低いスイング速度では、薄い打撃フェース７１８は、従来のゴルフクラブの場合とほぼ同じ程度のたわみを有するが、これは、フェースのわずかなたわみがフレックス支持構造体７３０の湾曲した表面との大きな接触を引き起こさないからである。逆に、打撃フェース７１８は、追加のたわみ距離のために、より速いスイングスピードの場合、打撃フェース７１８は、付加的な変位距離に応じて、フレックス支持構造体７３０から追加の支持を受けることになる。一般に、フレックス支持構造体７３０の高さおよび曲率は、打撃フェース７１８が様々なたわみ深さで受ける支持量を決定する。図７Ａ〜図７Ｉにおいて溝すなわちスコアラインが示されないけれども、打撃フェース７１８は、上述した打撃フェースに描かれているようなスコアリングマークを含んで良い。
【００５２】
図７Ｃ〜図７Ｅは、フレックス支持構造体７３０の種々の構造の右側面図を示す。一例において、フレックス支持構造体７３０Ｃは、キャビティ７４０内に突出する実質的に半円形の形状を有する。フレックス支持構造体７３０Ｃの一部は、打撃フェース７１８と平行であって、偏向されていない位置であっても打撃フェースと接触することができる。しかしながら、フレックス支持構造体７３０Ｃの湾曲部分は、打撃フェースが偏向位置にあるときにのみ、打撃フェース７１８に接触する。打撃フェース７１８のキャビティ７４０への偏向深さが深くなればなるほど、打撃フェース７１８の背面によって接触されるフレックス支持構造体７３０Ｃの曲面の面積は大きくなる。図７Ｄに示されるフレックス支持構造体７３０Ｄは、フレックス支持構造体７３０Ｃと実質的に同じ高さおよび曲率を有する。しかしながら、フレックス支持構造体７３０Ｄは、フレックス支持構造体７３０Ｃの後側に追加の材料７３２を有し、フレックス支持構造体７３０Ｃにさらなる強度を付与する。上述したように、フレックス支持構造体７３０Ｃまたはフレックス支持構造体７３０Ｄの曲率または高さは、打撃フェース７１８が様々なたわみ深さで受ける支持量を調節するように変更して良い。
【００５３】
フレックス支持構造体７３０Ｅは、線形フレックス支持構造体の一例である。フレックス支持構造体７３０Ｅは、曲面ではなく、角度付けされた斜面を含む。打撃フェース７１８がキャビティ７４０内に撓むと、打撃フェース７１８の背面がフレックス支持構造体７３０Ｅの角度付けされた部分に接触する。湾曲フレックス支持構造体と同様に、線形フレックス支持構造体７３０Ｅは、打撃フェースの偏向距離が増加するにつれて打撃フェース７１８に追加の支持を実現する。傾斜表面の高さおよび角度は、様々な深さで打撃フェース７１８が受ける支持の量を調整するように変更して良い。
【００５４】
図７Ｆは、可変フレックス支持構造体７３０Ｆを有するゴルフクラブヘッド７００の正面図を示す。可変フレックス支持構造体７３０Ｆは、ヒール部７１０とトウ部７０８との間の種々の位置で種々の高さ、および／または、曲率を有する。可変フレックス支持構造体７３０Ｆの異なる高さ、および／または、曲率のために、打撃フェース７１８の撓みは、偏向位置にあるときに、異なる量の支持を受ける。可変フレックス支持構造体７３０Ｆの種々の形状特性は、図７Ｇから図７Ｉに示す断面図において見出すことができ、これらは図７Ｆの断面線により示される。
【００５５】
図７Ｆ〜図７Ｉに示される例において、可変フレックス支持構造体７３０Ｆは、ソール部７０４に沿って、可変高さおよび可変曲率のような可変プロフィールを有する。トウ部７０８に向かって、フレックス支持構造体７３０Ｇは、高さおよび曲率により定義される第１のプロフィールを有する。打撃フェース７１８の中心に近づくにつれて、フレックス支持構造体７３０Ｈは、フレックス支持構造体７３０Ｇのプロフィールと比較して、より低い高さ、および、より小さな曲率の第２のプロフィールを有する。ヒール部７１０に向かって、フレックス支持構造体７３０Ｉは、フレックス支持構造体７３０Ｇのプロフィール、またはフレックス支持構造体７３０Ｈのプロフィールよりも高い高さおよび大きな曲率の第３のプロフィールを有する。
【００５６】
一例において、可変フレックス支持構造体７３０Ｆの種々のプロフィールは、種々の撓み深さで打撃フェース７１８を支持する。例えば、打撃フェース７１８の第１の撓み深さにおいて、打撃フェース７１８の背面は、可変フレックス支持構造体７３０Ｆのいくつかの部分の表面に第１のプロフィールおよび第２のプロフィールを接触させて良い。しかし、第２の撓み深さでは、打撃フェース７１８の背面は、第１のプロフィールを有する可変フレックス支持構造体７３０Ｆの部分にのみ接触することができる。
【００５７】
他の構成も、また、考えられる。例えば、クラブフェースの中心付近のフレックス支持構造体７３０Ｈが、他のフレックス支持構造体７３０Ｇ、７３０Ｉと比較して最大の高さを有して良い。そのような例においては、打撃フェース７１８の中心は、フレックス支持構造体７３０Ｈのために、限定された撓み範囲を有する。打撃フェース７１８の中心の撓み範囲を制限することにより、打撃フェース７１８の中心からのゴルフボールの打ち出し速度が低下する。トウ部７０８およびヒール部７１０に向かう、より短いフレックス支持構造体７３０Ｇ、７３０Ｉは、打撃フェース７１８のさらなる撓みを可能にし、したがって、より大きな打ち出し速度に寄与する。このような構成では、上述したリブ１０２を設ける場合と同様に、打撃フェース７１８を横切る打ち出し速度をより均一にすることができる。フレックス支持構造体７３０Ｆの高さおよび曲率は、また、打撃フェース７１８の撓み特性をさらに変更するために、トウ部７０８、トップライン７０６、およびヒールのフェースエッジ７１４に沿って変更または変化させられて良い。
【００５８】
他の例において、可変フレックス支持構造体７３０Ｈは、キャビティ７４０の全周囲に広がっていなくてもよい。例えば、ソール部７０４またはトップライン７０６の一部のみがフレックス支持構造体７３０Ｈを有して良い。別の例では、ヒール部７１０またはトウ部７０８のフェースエッジ７１４が、フレックス支持構造体７３０Ｈを有さなくて良い。
【００５９】
図８Ａは、打撃フェース８１８の対称部分８５０を形成するように配置されたフレックス支持構造体８３０、８３２およびリブ８０２を有するゴルフクラブヘッド８００を示す。図８Ｂ〜図８Ｄは、図８Ａの断面線によって示されるゴルフクラブヘッド８００の断面図を示す。リブ８０２は、図５Ａ〜図５Ｂを参照して上述したリブ５０２と同様である。リブ８０２は、後方部８１２から打撃フェース８１８の背面まで延びている。リブ８０２も、また、トップライン８０６からソール部８０４まで延びており、トップライン８０６およびヒール部８１０のフェースエッジ８１４の形状に対して実質的に鏡像を形成するように形づけられている。このような形状を有することにより、打撃フェース８１８は、打撃フェース８１８の、トップライン８０６と接触する部分、ソール部８０４、ヒール部８１０のフェースエッジ８１４、およびリブ８０２によって形成される対称部分を有し、これは図５Ａ〜図５Ｂにおいて上述した対称部分５５０と同様である。多重厚さの打撃フェースが、採用されても良い。
【００６０】
ゴルフクラブヘッド８００は、図５Ａ〜図５Ｂにおいて上述した２つのキャビティ５４０、５４２と同様の２つのキャビティ８４０、８４２を含む。第１のフレックス支持構造体８３０は、第１のキャビティ８４２の周囲に取り付けられ、第２のフレックス支持構造体８３２は、第２のキャビティ８４０の周囲に取り付けられる。例えば、第２のフレックス支持構造体８３２は、トウ部８０８、ソール部８０４、リブ８０２のトウ側表面、およびトップライン８０６に取り付けられ、または、これらの上に形成される。第１のフレックス支持構造体８３０は、トップライン８０６、リブ８０２のヒール側表面、ソール部８０４、およびヒール部８１０部のフェースエッジ８１４に取り付けられ、または、これらの上に形成される。第１のフレックス支持構造体８３０は、第１のキャビティ８４２内に突出または延在し、第２のフレックス支持構造体８３２は、第２のキャビティ８４０内に突出する。図７Ａ〜図７Ｉを参照して上述したフレックス支持構造体と同様に、フレックス支持構造体８３０、８３２は、偏向位置にあるときに、打撃フェース８１８に対する追加の支持を実現する。例えば、打撃フェース８１８の対称部分が撓む場合、打撃フェース８１８の背面は、第２のフレックス支持構造体８３２の湾曲面の一部に接触する。打撃フェース８１８の非対称部分が撓むと、打撃フェース８１８の背面は、第１のフレックス支持構造体８３０の曲面の一部に接触する。いくつかの実施例では、ゴルフクラブヘッド８００は、第２のフレックス支持構造体８３２を含まない。
【００６１】
第１のフレックス支持構造体８３０および／または第２のフレックス支持構造体８３２は、また、図７Ｆ〜図７Ｉを参照して上述した可変フレックス支持構造体７３０Ｈと同様の可変フレックス支持構造体であって良い。例えば、フレックス支持構造体８３２のプロフィールは、第２のキャビティ８４０の周囲で変化してもよく、例えば、フレックス支持構造体８３２の高さは、打撃フェース８１８の撓みを減少させるために対称線Ａ付近でより大きくても良く、ここは最大の撓みが生じる点である。フレックス支持構造体８３２が対称線の近くでより大きな高さを有することによって、打撃フェースの対称部分にわたってより一貫した打ち出し速度が達成される。
【００６２】
フレックス支持構造体８３０、８３２は、ゴルフクラブヘッドに組み込むことができる他の構造とともに、上述のリブ構造またはロッド構造のいずれかを有するゴルフクラブヘッドに組み込むことができる。
【００６３】
図９Ａは、複数の予荷重されたカンチレバーフェース支持タブ９２１〜９２４を有するゴルフクラブヘッド９００の正面図を示す。図９Ｂは、図９Ａに示された断面に沿った、打撃フェース９１８を取り付ける前の、ゴルフクラブヘッド９００の右側断面図を示し、図９Ｃは、打撃フェース９１８がゴルフクラブヘッド９００に取り付けられている図９Ｂの右側断面図を示す。図９Ｄは、図９Ｃに示されたゴルフクラブヘッド９００の一部の拡大図を示す。クラブヘッド９００は、トップライン９０６、トウ部９０８、ソール部９０４、および、ヒール部９１０を有し、これらが組み合わさってゴルフクラブヘッド９００の周囲を構成する。複数のフェース支持タブ９２１〜９２４が、それぞれの一端において、ゴルフクラブヘッド９００の周囲の内面９１６に結合されている。タブ９２１〜９２４の他端は、打撃フェース９１８の背面と接触しているが、打撃フェース９１８の背面には結合されず、その他の態様で、固着されていない。いくつかの例では、タブ９２１〜９２４は、クラブヘッド本体の鋳造プロセス中に形成されてもよく、または溶接または他の取り付け手順または機構を介して鋳造後に内周面に結合されて良い。図９Ａ〜図９Ｂに示される具体的な例では、複数のタブ９２１〜９２４は、トウ部９０８にトウタブ９２１、ソール部９０４にソールタブ９２２、ヒール部９１０にヒールタブ９２３、トップライン９０６にトップラインタブ９２４を含む。他の例では、より多くまたはより少ない数のタブを実装して良い。
【００６４】
打撃フェース９１８をクラブヘッド９００に取り付ける前に、タブ９２１〜９２４のうちの１つ以上は、図９Ｂに示すように、周囲の内面９１６から棚平面Ｐを越えた点まで延在する。棚平面Ｐは、打撃フェース９１８の背面がゴルフクラブヘッド９００に取り付けられるときに載置される面であり、棚平面Ｐは、ゴルフクラブヘッドの周囲の少なくとも一部分に沿って形成される棚９５０によって定義されて良い。打撃フェース９１８が取り付けられ、かくしてカンチレバー状のタブ９２１〜９２４をキャビティ９４０内に曲げる。一例において、打撃フェース９１８は所定の位置にクランプされ、打撃フェース９１８がゴルフクラブヘッド９００の周囲に溶接される。打撃フェース９１８がゴルフクラブヘッド９００の周囲に溶接されると、打撃フェース９１８が中立位置にあるときに、すなわち、ゴルフボールを打撃していない、またはゴルフボールを打撃したときの跳ね返りを受けていないとき、カンチレバータブ９１２〜９２４が打撃フェース９１８の背面に圧力を加える。したがって、カンチレバータブ９２１〜９２４は、打撃フェース９１８に抗するようにプリロードされる。カンチレバータブ９２１〜９２４を打撃フェースに抗してプリロードすることにより、より薄い打撃フェース９１８をゴルフクラブヘッド９００に組み込むことができる。例えば、打撃フェース９１８は、約１〜３ｍｍ、１．５〜２．５ｍｍ、１．０〜２．０ｍｍ、および１．５〜２．０ｍｍの範囲内の厚さを有して良い。カンチレバータブ９２１〜９２４のプリロードは、また、打撃フェース９１８との衝突時のゴルフボールの打ち出し特性にも影響を及ぼす。いくつかの例では、クラブヘッド９００は、０．８〜０．８３および０．８１〜０．８２の範囲の反発係数（ＣＯＲ）を実現する。
【００６５】
プリロードされたカンチレバータブ９２１〜９２４の各々は、同じ、または異なる寸法を有して良い。各タブ９２１〜９２４は、その幅Ｗ、キャビティ内への侵入深さＤ、タブの厚さＴ、および打撃が行われるときの打撃フェース９１８の背面との間の角度αによって特徴付けられて良い。ソールタブ９２２の幅Ｗは、具体的な用途に応じて様々な実現可能な寸法を採用して良い。例えば、ソールタブ９２２の幅Ｗは、ソール部９０４の長さＬＳの約１／２から３／４の間であって良い。他の例では、ソールタブ９２２の幅Ｗは、約０．２−１．５インチ、０．４−０．８インチ、０．７５−１．２５インチ、または１．０−１．５インチであって良い。ソールタブ９２２の厚さＴは、約１．０−２．０ｍｍ、１．２−１．８ｍｍ、または１．４−１．６ｍｍの範囲であって良い。ソールタブ９２２の角度αは、４５〜６０度、４５度未満、または２０度未満であって良い。ソールタブ９２２の厚さは、約０．５〜２．０ｍｍ、０．８〜１．５ｍｍ、または０．８〜１．２ｍｍであって良い。ソールタブ９２２の深さＤは、約４．０〜１２．０ｍｍ、５．０〜１０．０ｍｍ、または７．０〜８．０ｍｍであって良い。各タブの寸法は、また、打撃フェース９１８の厚さにも依存し得る。例えば、打撃フェースがより薄い場合、１つ以上のタブ９２１〜９２４の深さＤおよび／または幅Ｗは一般により大きい。いくつかの例では、打撃フェース９１８の厚さに対するソールタブ９２２の幅Ｗの比は、約８：１から２０：１、１０：１から１８：１、または１２：１から１６：１であって良い。内周面に取り付けられたソールタブ９２２の部分は、ソールの中間点に中心合わせされていて良い。他の例では、内周面に取り付けられたソールタブ９２２の部分は、ゴルフクラブヘッド９００の重心より下に中心づけして良い。
【００６６】
他のタブは、ソールタブ９２２と同様の寸法を有して良い。例えば、トップラインタブ９２４は、ソールタブ９２２において実質的に同じまたは類似の寸法を有して良い。しかしながら、いくつかの例では、トップラインタブ９２４の寸法はトップライン９０６の長さＬＴと関連して記述されて良い。例えば、トップラインタブ９２４の幅は、トップライン９０６の長さＬＴの約１／２から３／４の間であって良い。内周面に取り付けられたトップラインタブ９２４の部分は、トップライン９０６の中間点において中心づけられて良い。他の例において、内周面に取り付けられたトップラインタブ９２４の部分は、ゴルフの重心の上に中心づけられて良い。トップラインタブ９２４の深さＤ、角度αおよび厚さＴは、ソールタブ９２２の対応する寸法について上述したのと同じ範囲内にあって良い。しかしながら、いくつかの例では、深さＤ、角度α、厚さＴが上で説明したのと同じ範囲内にある場合に、トップラインタブ９２４は、ソールタブ９２２と同じ寸法を有しなくてもよい。
【００６７】
いくつかの例において、トウタブ９２１は、トウ部９０８の高さＨＴの１／２から３／４に等しい幅を有して良い。内周面に取り付けられたトップラインタブ９２４の部分は、トウ部９０８の中間点の上に中心づけられて良い。他の例において、内周面に取り付けられたトップラインタブ９２４の部分は、ゴルフクラブヘッド９００の重心の高さにおいて中心づけられて良い。トウタブ９２１の深さＤ、角度αおよび厚さＴは、ソールタブ９２２の対応する寸法について上述したのと同じ範囲内にあって良い。しかし、いくつかの例では、深さＤ、角度α、トウタブ９２１の厚さＴが上述したのと同じ範囲内にある場合に、トウタブ９２１は、ソールタブ９２２またはトップラインタブ９２４と同じ寸法を有しなくて良い。
【００６８】
ヒールタブ９２３は、ヒールエッジ９１１の高さの１／２〜３／４に等しいか、それ以上の幅を有して良い。内周面に取り付けられたヒールタブ９２３の部分は、ヒールエッジ９１１の中間点に中心づけされて良い。他の例では、内周面に取り付けられたヒールタブ９２４の部分は、ゴルフクラブヘッド９００の重心の高さに中心づけされて良い。ヒールタブ９２３の深さＤ、角度αおよび厚さＴは、ソールタブ９２２の対応する寸法について上述したのと同じ範囲内にあって良い。いくつかの例では、しかしながら、ヒールタブ９２３の深さＤ、角度αおよび厚さＴは、上述したのと同じ範囲内であって良いけれども、ヒールタブ９２３は、ソールタブ９２２、トップラインタブ９２４、またはトウタブ９２１と同じ寸法を有していなくて良い。
【００６９】
図１０Ａは、ゴルフクラブヘッド１０００の周囲から少なくとも部分的に自由に曲がることができるエッジを伴う打撃フェース１０１８を具備するゴルフクラブヘッド１０００の正面図を示す。図１０Ｂは、打撃フェース１０１８が取り付けられる前の、図１０Ａに示されたゴルフクラブヘッド１０００の図１０Ａに示す断面に沿う、右側断面図を示す。図１０Ｃは、打撃フェース１０１８がゴルフクラブヘッド１０００に取り付けられた状態の図１０Ｂの右断面図を示す。ゴルフクラブヘッド１０００はゴルフクラブヘッド９００とは異なり、打撃フェース１０１８が各フェース支持タブ１０２１〜１０２４に直接固定されている。さらに、打撃フェース１０１８は、ゴルフクラブヘッド１０００の外周に直接固定されていない。そのため、打撃フェース１０１８のエッジは、ゴルフボールに打撃を受けたときにクラブヘッド１０００の残りの部分から外方に移動することができる。いくつかの例では、ガスケット１０５２が、ゴルフクラブヘッド１０００の外周と打撃フェース１０１８との間に配置されて、ゴミがキャビティ１０４０に入るのを防ぎ、また、打撃フェース１０１８の表面とクラブヘッド１０００の周囲の表面との間の過度の摩耗を防ぐ。
【００７０】
ゴルフクラブヘッド１０００は、トップライン１００６、トウ部１００８、ソール部１００４、および、ヒール部１０１０を含み、それらが組み合わさってゴルフクラブヘッド１０００の周囲を形成する。ゴルフクラブヘッド１０００は、また、複数のタブ１０２１〜１０２４を含む。一例として、ゴルフクラブヘッド１０００は、トウタブ１０２１、ソールタブ１０２２、ヒールタブ１０２３、およびトップラインタブ１０２４を含んで良い。タブ１０２１〜１０２４は、クラブヘッドの鋳造プロセス中に形成されても良く、また、鋳造後に内周面に取り付けられても良い。いくつかの例では、タブ１０２１〜１０２４の各々は、ゴルフクラブヘッド１０００の周囲の内面１０１６と打撃フェース１０１８の背面の双方に固定される。タブ１０２１〜１０２４の、周囲の内面１０１６および打撃フェースの背面への固定は、溶接、リベット、ねじ、または他の固定または固定技術によって達成されて良い。他の例では、複数のタブ１０２１〜１０２４のすべてよりも少ない数のタブ１０２１〜１０２４が、打撃フェース１０１８の背面に結合される。例えば、タブのうちの２つは、周囲の内面１０１６にのみ取り付けられて良く、２つのタブが、周囲の内面１０１６と打撃フェース１０１８の背面の双方に結合されている。
【００７１】
複数のタブ１０２１〜１０２４は、さもなければゴルフクラブヘッド１０００の周囲に固定されていない打撃フェース１０１８を支持するので、複数のタブ１０２１〜１０２４は、一般に、図９Ａ〜図９Ｃを参照して上述した複数のタブ９２１〜９２４より堅牢である。例えば、打撃フェース１０１８の縁部がゴルフクラブヘッド１０００の周囲に固定されていないため、ゴルフボール打撃時に打撃フェース１０１８の大部分がタブ１０２１〜１０２４によって支持される。したがって、タブ１０２１〜１０２４の構成は、そのようなボール衝突時に生じる力に耐えるのに十分な支持を実現しなければならない。一例として、タブ１０２１〜１０２４の厚さＴは、タブ９２１〜９２４の厚さＴより大きくて良い。例えば、タブ１０２１〜１０２４の各々の厚さＴは、約３ｍｍ、または２〜６ｍｍ、３〜５ｍｍ、３〜４ｍｍ、または少なくとも３ｍｍであって良いさらに、いくつかの例では、打撃フェース１０１８がゴルフクラブヘッド１０００の周囲に直接的に固定されていないので、打撃フェース１０１８も、また、図９Ａ〜図９Ｃを参照して上述した打撃フェース９１８より厚くなる。例えば、打撃フェース１０１８の厚さは、１．５ｍｍ〜２．５ｍｍ、または２．０ｍｍ〜３．０ｍｍ、または３．０ｍｍを超えて良い。
【００７２】
いくつかの例では、タブ１０２１〜１０２４の他の寸法は、図９Ａ〜図９Ｃを参照して上述したタブ９２１〜９２４の寸法と同じであって良く、または類似であって良い。しかしながら、打撃フェース１０１８の背面に取り付けられた各タブ１０２１−１０２４の端部は、打撃フェース１０１８の前面が取り付けられたときにゴルフクラブヘッド１０００の周囲と同一面になるように配置されるべきである。例えば、各タブ１０２１〜１０２４の角度αおよび深さＤは、打撃フェース１０１８の前面がゴルフクラブヘッド１０００の周囲と同一面になるような値でなければならない。他の例では、１つ以上のタブ１０２１〜１０２４の深さＤおよび角度αは、打撃フェース１０１８の背面に接続されるタブの部分が、棚平面Ｐに対してわずかに後方になるように構成される。例えば、打撃フェース１０１８の後部に結合されるタブの部分は、棚平面Ｐの後ろ約０．３〜１．０ｍｍの間にあって良い。このような例では、打撃フェース１０１８を取り付けるために、タブを前方にバイアスして良い。したがって、打撃フェース１０１８がタブ１０２１〜１０２４に結合されると、タブ１０２１〜１０２４のばね力によって、打撃フェース１０１８がキャビティ１０４０に向かって引っ張られる。したがって、その例では、打撃フェース１０１８のエッジは、ガスケット１０５２または棚１０５０に対して小さな力を加え、もって打撃フェース１０１８をその場所に保持し、それでいて、依然として、打撃フェース１０１８がゴルフボールを打つ際に撓むことを可能にする。
【００７３】
各タブ１０２１〜１０２４の幅Ｗ、深さＤおよび角度αは、図９Ａ〜図９Ｃを参照して上述したタブ９２１〜９２４の各々の幅Ｗ、深さＤおよび角度αと同じであってもよく、または類似してもよい。
【００７４】
アイアンタイプのゴルフクラブヘッドは、一般に、クラブが打撃フェース上のスコアラインに沿ってトウ−ヒール方向の中央でゴルフボールに衝突するように設計されている。中心フェースは、ここでは、打撃フェース上の各スコアラインの大部分の中心を通過する、打撃フェースを走る線として定義される。重心が中心フェースの後ろに位置する従来のアイアン型ゴルフクラブヘッドは、ボールが打撃フェースの中心フェースに当たったときに、衝突後に最も高いボールスピードをもたらす。ボールが中心フェースのトウよりまたはヒールよりで打撃フェーストに衝突するとき、ボール速度、その結果として、全体のショット距離が損なわれる。このボール速度の低下は、種々の要素によるものであり、これには、ボールが重心に沿って直接的に衝突しないこと、中心フェースの外側でフェースの撓みが制限されること、ゴルフクラブヘッドの構造によって慣性モーメントが制限されることが含まれる。
【００７５】
図１１Ａ〜図１１Ｈは、中心フェースＣＦに完全に中心合わせされていないボール打撃によるボール速度の低下を最小限に抑えるように構成されたカンチレバーフェース支持タブ１１２２を含むゴルフクラブヘッド１１００の追加の実施例を示す。図１１Ａは、ゴルフクラブヘッド１１００の正面図を示す。図１１Ｂは、図１１Ａのゴルフクラブヘッド１１００の右側面図を示す。図１１Ｃは、図１１Ａのゴルフクラブヘッド１１００の斜視図を示す。図１１Ｄは、図１１Ａのゴルフクラブヘッド１１００の背面図を示す。図１１Ｅは、図１１Ａのゴルフクラブヘッド１１００の後方斜視図を示す。図１１Ｆは、図１１Ａのゴルフクラブヘッド１１００の右側断面図を示す。図１１Ｇは、図１１Ａのゴルフクラブヘッド１１００の斜視断面図を示す。図１１Ｈは、打撃フェース１１１８がない状態における、図１１Ａのゴルフクラブヘッド１１００の正面断面図を示す。
【００７６】
ゴルフクラブヘッド１１００は、トップライン１１０６、トウ部１１０８、ソール部１１０４、およびヒール部１１１０を具備し、これらが組み合わさってゴルフクラブヘッド１１００の周囲を形成する。ゴルフクラブヘッド１１００は、キャビティバック構造であるが、他の構造も本考案に従って採用して良い。中空のバック構造を作るために、メダリオンを背面に追加して良い。後方壁は、図９Ａ〜図９Ｃに図説する実施例と同様に追加して中空構造を形成できるであろう。図１１Ｄ〜図１１Ｈに示されるように、ゴルフクラブヘッド１１００は、ゴルフクラブヘッド１１００の周囲の内面１１１６に取り付けられたカンチレバーフェース支持タブ１１２２を含む。図１１Ｄ〜図１１Ｈに示すように、カンチレバー支持タブは、ソール部１１０４の内面１１１６から上方に延びる。タブ１１２２の他端は、打撃フェース１１１８の背面１１１９と接触している。図示の実施例において、タブ１１２２は、打撃フェース１１１８の背面１１１９に固定されておらず、ゴルフボールとの衝撃中に打撃フェース１１１８が撓むと、背面１１１９に対してスライドするように構成される。カンチレバーフェース支持タブ１１２２は、打撃フェース１１１８を中心フェースＣＦの近くで局所的に支持するように構成されている。これにより、打撃フェース１１１８は、その外周で支持されるだけでなく、カンチレバーフェース支持タブ１１２２によってより中心位置で支持され、打撃フェース１１１８のたわみプロファイルが変更され、もって、不完全な打撃であっても、より一貫したボール速度を実現できる。さらに、打撃フェース１１１８を支持するカンチレバーフェース支持タブ１１２２は、従来のアイアンタイプのゴルフクラブヘッドよりも薄い打撃フェース１１１８を可能にし、中心フェースＣＦの外側でより局所的なたわみを可能にし、中心フェースＣＦでの衝突と、中心フェースＣＦのトウ側およびヒール側での衝突との間のボール速度の差を減少させる。カンチレバーフェース支持支持タブ１１２２は、２ｍｍ未満の打撃フェース１１１８の厚さＦＴを可能にするのに必要な支持を実現する。カンチレバーフェース支持タブ１１２２がなければ、このような薄い面は耐久性に欠ける可能性が高く、ゴルフボールとの繰り返しの衝撃の後には、壊れる可能性が高い。さらに、このような薄いフェースは、ＵＳＧＡ  ＣＯＲ規格の外にあることもある。この考案は、打撃フェースのより広い部分において、できるだけＵＳＧＡ  ＣＯＲ規格に近いところでゴルフボールを打ち出すことができるようにする。一実施例において、フェースの厚さＦＴは２．０ｍｍ未満である。別の実施例において、フェースの厚さＦＴは１．９ｍｍ未満である。別の実施例において、フェースの厚さＦＴは１．８ｍｍ未満である。別の実施例において、フェースの厚さＦＴは１．７ｍｍ未満である。図示の実施例においては、打撃フェース１１１８は一定の厚さＦＴを有する。図示されていない他の実施例では、打撃フェース１１１８は可変厚さを有して良い。
【００７７】
１実施例において、図１１Ｇに示すように、カンチレバーフェース支持タブ１１２２は、ゴルフクラブヘッド１１００のソール部１１０４と一体的に形成することができる。図示の実施例において、打撃フェース１１１８はゴルフクラブヘッド１１００の残りとは別に形成され、ゴルフクラブ１１００に事後的に溶接される。さらに、図示の実施例において、ゴルフクラブヘッド１１００の打撃フェース１１１８の部分は、下側の返り部分を含んで良く、下側の溶接線を、打撃フェース１１１８ではなく、ソール部１１０４へと移動させて良い。他の実施例において、カンチレバーフェース支持タブ１１２２は、溶接または他の固定手順または機構を介してゴルフクラブヘッド１１００の内面１１１６に固定されて良い。
【００７８】
カンチレバーフェース支持タブ１１２２は、内面１１１６に取り付けられた下部１１６２と、打撃フェース１１１８の背面１１１９に当接する上部１１６４とを含んで良い。図１１Ｆに示すように、上部１１６４は、上部１１６４と下部１１６２との交差位置に下部ラディアス１１６６を含んで良い。ゴルフクラブヘッド１１００がアドレス位置にあるとき、カンチレバーフェース支持タブ１１２２は、内面１１１６からキャビティに入る深さＤ、幅Ｗ、タブ１１２２と打撃フェース１１１８の背面１１１９との間の角度α、下部１１６２の厚さＴＬおよび上部１１６４の厚さＴＵ、および、打撃フェース１１１８の背面１１１９と接触している接触パッチのカンチレバーフェース支持タブ１１２２の表面面積ＳＡを有する。カンチレバーフェース支持タブ１１２２が図１１Ｆに示すようにテーパ形状によっているので、厚さＴＬおよび厚さＴＵは異なって良い。
【００７９】
一実施例において、カンチレバーフェース支持タブ１１２２の深さＤは１０ｍｍより大きい。別の実施例において、深さＤは１４ｍｍより大きい。別の実施例において、深さＤは１８ｍｍより大きい。別の実施例において、深さＤは２２ｍｍより大きい。別の実施例において、深さＤは、１０ｍｍより大きく３０ｍｍ未満である。別の実施例において、深さＤは、１８ｍｍより大きく２６ｍｍ未満である。別の実施例において、深さＤは２０ｍｍより大きく２４ｍｍ未満である。
【００８０】
一実施例において、カンチレバーフェース支持支持タブ１１２２の幅Ｗは４ｍｍより大きい。別の実施例において、幅Ｗは８ｍｍより大きい。別の実施例において、幅Ｗは１２ｍｍより大きい。別の実施例において、幅Ｗは４ｍｍより大きく２０ｍｍ未満である。別の実施例において、幅Ｗは８ｍｍより大きく１６ｍｍより小さい。別の実施例において、幅Ｗは１０ｍｍより大きく１４ｍｍ未満である。
【００８１】
一実施例において、カンチレバーフェース支持タブ１１２２の下部１１６２の厚さＴＬは２ｍｍより大きい。別の実施例において、厚さＴＬは４ｍｍより大きい。別の実施例において、厚さＴＬは２ｍｍより大きく１０ｍｍ未満である。別の実施例において、厚さＴＬは４ｍｍより大きく８ｍｍ未満である。別の実施例において、厚さＴＬは５ｍｍより大きく６ｍｍ未満である。一実施例において、カンチレバーフェース支持タブ１１２２の上部１１６４の厚さＴＵは１ｍｍより大きい。別の実施例において、厚さＴＵは１．５ｍｍより大きい。別の実施例において、厚さＴＵは１．０ｍｍより大きく３ｍｍ未満である。別の実施例において、厚さＴＵは１．５ｍｍより大きく２．５ｍｍ未満である。別の実施例において、厚さＴＵは１．５ｍｍより大きく２ｍｍより小さい。
【００８２】
一実施例において、タブ１１２２と打撃フェース１１１８の背面１１１９との間の角度αは１０度より大きい。別の実施例において、角度αは２０度より大きい。別の実施例において、角度αは３０度より大きい。別の実施例において、角度αは５０度未満である。別の実施例において、角度αは４５度未満である。別の実施例において、角度αは４０度未満である。別の実施例において、角度αは３５度未満である。別の実施例において、角度αは１０度より大きく５０度よりも小さい。別の実施例において、角度αは２０度より大きく４０度未満である。別の実施例において、角度αは３０度より大きく３５度未満である。
【００８３】
一実施例において、打撃フェース１１１８の背面１１１９と接触しているカンチレバーフェース支持タブ１１２２の表面領域ＳＡは、５ｍｍ２より大きい。別の実施例において、表面積ＳＡは１０ｍｍ２より大きい。別の実施例において、表面積ＳＡは１５ｍｍ２より大きい。別の実施例において、表面積ＳＡは２０ｍｍ２より大きい。
【００８４】
アイアンタイプのゴルフクラブヘッドの三角形および非対称形状のために、打撃フェースは、中心フェースＣＦに衝撃があったときに、トウ側においてヒール側に比べてより撓む。これは、中心フェースＣＦの打撃フェースのトウ側の表面積がヒール側の表面積より大きいからである。このように、中心フェースＣＦからトウ側でのゴルフボールの打撃は、ヒール側でのゴルフボール打撃より大きなボール速度を実現する傾向があるまた、図１２Ａ〜図１２Ｃは、カンチレバーフェース支持タブ１２２２を含むゴルフクラブヘッド１２００の追加の実施例を示す。図１２Ａは、カンチレバーフェース支持タブ１２２２を含むゴルフクラブヘッド１２００の背面図を示す。図１２Ｂは、図１２Ａ２のゴルフクラブヘッド１２００の後方斜視図を示す。図１２Ｃは、打撃フェース１２１８が欠けた状態における、図１２Ａのゴルフクラブヘッド１２００の正面断面図を示す。図１２Ｄは、図１２Ａのゴルフクラブヘッド１２００の後方斜視図を示す。図１２Ｅは、摩擦低減部材１２７０を含む、図１２Ａのゴルフクラブヘッド１２００の右側断面図を示す。
【００８５】
カンチレバーフェース支持タブ１２２２は、打撃フェース１２１８を中心フェースＣＦのトウ側で支持するように構成され、打撃フェースから中心フェースＣＦのトウ側およびヒール側に外れた場合のボール速度を正常化する。カンチレバーフェース支持タブ１２２２の上部１２６４は、中心フェースＣＦのトウ側に、トウオフセット距離ＴＯＤだけ離れて位置決めされ、これは、中心フェースＣＦから、カンチレバーフェース支持タブ１２２２の打撃フェース１２１８に対する、接触パッチの中心まで距離として測定される。図示された実施例において、カンチレバーフェース支持タブ１２２２の上部１２６４は、下部１２６２とソール部１２０４との交差部のトウ側に位置決めされ、カンチレバーフェース支持タブ１２２２を、図１１Ａ〜図１１Ｈに示すように、接地面に対して実質的に垂直ではなく、角度Ｂだけ接地面に対して角度づけられているに接続される。傾斜したカンチレバーフェース支持タブ１２２２は、いくつかの利点を有する。(株)１２６２およびソール部１２０４の交差部を上部１２６４のヒール側に位置決めすることにより、ゴルフクラブヘッド１２００のキャビティ内の面積を、重量パッドおよび／または高密度重みづけ用に、下側のトウ部１２０８に付与し、重心および慣性モーメントを最適化できる。さらに、カンチレバーフェース支持タブ１２２２の有効長さは、地面に垂直に向いている場合よりも長く、これが、打撃フェース１２１８とともに撓むときに、カンチレバーフェース支持タブ１２２２の応力を低減する。
【００８６】
一実施例において、カンチレバーフェース支持タブ１２２２の角度Ｂは、地面に対して９０度未満の角度で傾斜している。別の実施例において、角度Ｂは８０度未満である。別の実施例において、角度Ｂは７０度未満である。別の実施例において、角度Ｂは６０度未満である。別の実施例において、角度Ｂは５５度未満である。
【００８７】
一実施例において、カンチレバーフェース支持タブ１２２２のトウオフセット距離ＴＯＤは２ｍｍより大きい。別の実施例において、トウオフセット距離ＴＯＤは４ｍｍより大きい。別の実施例において、トウオフセット距離ＴＯＤは６ｍｍより大きい。別の実施例において、トウオフセット距離ＴＯＤは８ｍｍより大きい。別の実施例において、トウオフセット距離ＴＯＤは１０ｍｍより大きい。別の実施例において、トウオフセット距離ＴＯＤは、４ｍｍより大きく２０ｍｍ未満である。別の実施例において、トウオフセット距離ＴＯＤは８ｍｍより大きく１６ｍｍより小さい。別の実施例において、トウオフセット距離ＴＯＤは１０ｍｍより大きく１４ｍｍ未満である。
【００８８】
図１２Ｄおよび図１２Ｅに示すように、摩擦低減部材１２７０は、カンチレバーフェース支持タブ１２２２の上部１２６４と打撃フェース１２１８の背面１２１９との間に配置することができる。摩擦低減部材１２７０は、カンチレバーフェース支持タブ１２２２の上部１２６４を収容するように構成されたキャビティを含み、靴下のように上部１２６４を囲む。摩擦低減部材１２７０は、例えば、デルリン、ポリエチレン、超高分子量ポリエチレン、アルミニウム、チタン、マグネシウムなどを含む様々な材料から構成して良い。さらに、ここでは図示していないが、同じ利点の多くを実現するメタルウッドゴルフクラブヘッドに利用して良い。
【００８９】
図示されていない別の実施例において、下部を、上部のトウ側に位置決めすることができ、カンチレバーフェース支持タブを接地面に対してヒール側に傾斜させることができる。下部は、ソール部のトウ側に固定されて良く、また、トウ部分に取り付けられて良い。
【００９０】
具体的な実施例および側面がここに説明され、具体的な例が提示されたけれども、この考案の範囲はこれら具体的な実施例や例に限定されない。当業者は、本考案の範囲および精神内にある他の実施例または改良物を認識するであろう。したがって、具体的な構造、動作、または媒体は、例示的な実施例としてのみ開示される。この考案の範囲は、以下の特許請求の範囲およびその均等物によって定義される。
【符号の説明】
【００９１】
１１００    ゴルフクラブヘッド
１１０４    ソール部
１１０６    トップライン
１１０８    トウ部
１１１０    ヒール部
１１１６    ソール部１１０４の内面
１１１８    打撃フェース
１１１９    背面
１１２２    カンチレバーフェース支持タブ
１１６２    下部
１１６４    上部
１１６６    下部ラディアス
１２００    ゴルフクラブヘッド
１２０４    ソール部
１２０８    トウ部
１２１８    打撃フェース
１２１９    背面
１２２２    カンチレバーフェース支持タブ
１２６２    下部
１２６４    上部
１２７０    摩擦低減部材
【図１Ａ】
0003220762.tif 000003
【図１Ｂ】
0003220762.tif 000004
【図１Ｃ】
0003220762.tif 000005
【図２】
0003220762.tif 000006
【図３】
0003220762.tif 000007
【図４】
0003220762.tif 000008
【図５Ａ】
0003220762.tif 000009
【図５Ｂ】
0003220762.tif 000010
【図６Ａ】
0003220762.tif 000011
【図６Ｂ】
0003220762.tif 000012
【図７Ａ】
0003220762.tif 000013
【図７Ｂ】
0003220762.tif 000014
【図７Ｃ】
0003220762.tif 000015
【図７Ｄ】
0003220762.tif 000016
【図７Ｅ】
0003220762.tif 000017
【図７Ｆ】
0003220762.tif 000018
【図７Ｇ】
0003220762.tif 000019
【図７Ｈ】
0003220762.tif 000020
【図７Ｉ】
0003220762.tif 000021
【図８Ａ】
0003220762.tif 000022
【図８Ｂ】
0003220762.tif 000023
【図８Ｃ】
0003220762.tif 000024
【図８Ｄ】
0003220762.tif 000025
【図９Ａ】
0003220762.tif 000026
【図９Ｂ】
0003220762.tif 000027
【図９Ｃ】
0003220762.tif 000028
【図９Ｄ】
0003220762.tif 000029
【図１０Ａ】
0003220762.tif 000030
【図１０Ｂ】
0003220762.tif 000031
【図１０Ｃ】
0003220762.tif 000032
【図１１Ａ】
0003220762.tif 000033
【図１１Ｂ】
0003220762.tif 000034
【図１１Ｃ】
0003220762.tif 000035
【図１１Ｄ】
0003220762.tif 000036
【図１１Ｅ】
0003220762.tif 000037
【図１１Ｆ】
0003220762.tif 000038
【図１１Ｇ】
0003220762.tif 000039
【図１１Ｈ】
0003220762.tif 000040
【図１２Ａ】
0003220762.tif 000041
【図１２Ｂ】
0003220762.tif 000042
【図１２Ｃ】
0003220762.tif 000043
【図１２Ｄ】
0003220762.tif 000044
【図１２Ｅ】
0003220762.tif 000045
【手続補正書】
【提出日】平成31年1月29日(2019.1.29)
【手続補正１】
【補正対象書類名】実用新案登録請求の範囲
【補正対象項目名】全文
【補正方法】変更
【補正の内容】
【実用新案登録請求の範囲】
【請求項１】
トウ部、ヒール部、トップライン、およびソール部を有するゴルフクラブヘッド周囲と、
打撃フェースと、
上記ソール部の内面から上記打撃フェースの背面に向かって伸びるカンチレバーフェース支持タブとを有し、
上記カンチレバーフェース支持タブは上記内面に固着され、
上記カンチレバーフェース支持タブは上記打撃フェースの上記背面には接触するけれども、固着されず、
上記打撃フェースは上記クラブヘッド周囲に溶接により固着され、
上記カンチレバーフェース支持タブは上記ソール部と一体に形成され、
上記ソール部の上記内面から上記カンチレバーフェース支持タブの頂部へ垂直に測定した深さＤが１０ｍｍより大きく、３０ｍｍより小さく、
上記カンチレバーフェース支持タブは下部および上部を有し、上記下部が上記ソール部に取り付けられ、上記上部が上記打撃フェースと接触し、
上記カンチレバーフェース支持タブの上記下部の前面表面と上記打撃フェースの上記背面との間の角度として測定される角度αが１０°より大きく、５０°より小さく、
上記カンチレバーフェース支持タブのトウ方向に測定される幅Ｗが４ｍｍより大きく、２０ｍｍより小さく、
上記下部の上記深さＤに対して垂直に測定される厚さＴＬが２ｍｍより大きく、１０ｍｍより小さく、
上記上部の上記深さＤに対して垂直に測定される厚さＴＵが１ｍｍより大きく、３ｍｍより小さく、
上記カンチレバーフェース支持タブおよび上記打撃フェースの上記背面の間に形成されるコンタクトパッチの表面面積ＳＡが５ｍｍ２より大きく、
上記打撃フェースが２ｍｍ未満のフェース厚さＦＴを有し、
上記カンチレバーフェース支持タブの上記上部は上記上部と上記打撃フェースの上記背面との間に位置付けられた摩擦減少部材を含み、当該摩擦減少部材は上記カンチレバーフェース支持タブの材料と異なる材料から構築されることを特徴とするゴルフクラブヘッド。
【請求項２】
トウ部、ヒール部、トップライン、およびソール部を有するゴルフクラブヘッド周囲と、
打撃フェースと、
上記ソール部の内面から上記打撃フェースの背面に向かって伸びるカンチレバーフェース支持タブとを有し、
上記カンチレバーフェース支持タブは上記内面に固着され、
上記カンチレバーフェース支持タブは上記打撃フェースの上記背面には接触するけれども、固着されず、
上記ソール部の上記内面から上記カンチレバーフェース支持タブの頂部へ垂直に測定した深さＤが１０ｍｍより大きく、３０ｍｍより小さく、
上記打撃フェースが２ｍｍ未満のフェース厚さＦＴを有することを特徴とするゴルフクラブヘッド。
【請求項３】
上記打撃フェースは上記クラブヘッド周囲に溶接により固着される請求項２記載のゴルフクラブヘッド。
【請求項４】
上記カンチレバーフェース支持タブは上記ソール部と一体に形成される請求項２記載のゴルフクラブヘッド。
【請求項５】
上記カンチレバーフェース支持タブは下部および上部を有し、上記下部が上記ソール部に取り付けられ、上記上部が上記打撃フェースと接触する請求項２記載のゴルフクラブヘッド。
【請求項６】
上記カンチレバーフェース支持タブの下部の前面表面と上記打撃フェースの上記背面との間の角度として測定される角度αが１０°より大きく、５０°より小さい請求項２記載のゴルフクラブヘッド。
【請求項７】
上記カンチレバーフェース支持タブのトウ方向に測定される幅Ｗが４ｍｍより大きく、２０ｍｍより小さい請求項２記載のゴルフクラブヘッド。
【請求項８】
上記下部の上記深さＤに対して垂直に測定される厚さＴＬが２ｍｍより大きく、１０ｍｍより小さく、上記上部の上記深さＤに対して垂直に測定される厚さＴＵが１ｍｍより大きく、３ｍｍより小さい請求項５記載のゴルフクラブヘッド。
【請求項９】
上記カンチレバーフェース支持タブおよび上記打撃フェースの上記背面の間に形成されるコンタクトパッチの表面面積ＳＡが５ｍｍ２より大きい請求項２記載のゴルフクラブヘッド。
【請求項１０】
上記カンチレバーフェース支持タブの上記上部は上記上部と上記打撃フェースの上記背面との間に位置付けられた摩擦減少部材を含む請求項５記載のゴルフクラブヘッド。
【請求項１１】
上記摩擦減少部材は上記カンチレバーフェース支持タブの材料と異なる材料から構築される請求項１０記載のゴルフクラブヘッド。
【請求項１２】
トウ部、ヒール部、トップライン、およびソール部を有するゴルフクラブヘッド周囲と、
打撃フェースと、
上記ソール部の内面から上記打撃フェースの背面に向かって伸びるカンチレバーフェース支持タブとを有し、
上記カンチレバーフェース支持タブは上記内面に固着され、
上記カンチレバーフェース支持タブは上記打撃フェースの上記背面には接触するけれども、固着されず、
上記カンチレバーフェース支持タブは下部および上部を有し、上記下部が上記ソール部に取り付けられ、上記上部が上記打撃フェースと接触し、
上記打撃フェースは複数のスコアラインを有し、
上記打撃フェースは中心フェースを有し、上記中心フェースは上記複数のスコアラインの大多数の中心を通過する上記打撃フェース上の線を有し、
上記上部は、上記打撃フェースの上記背面と接触するコンタクトパッチを有し、上記コンタクトパッチは、コンタクトパッチ中心を有し、上記コンタクトパッチ中心は上記中心フェースに対して少なくとも２ｍｍだけずれた距離ＴＯＤに位置付けられることを特徴とするゴルフクラブヘッド。
【請求項１３】
上記打撃フェースは上記クラブヘッド周囲に溶接により固着される請求項１２記載のゴルフクラブヘッド。
【請求項１４】
上記カンチレバーフェース支持タブは上記ソール部と一体に形成される請求項１２記載のゴルフクラブヘッド。
【請求項１５】
上記カンチレバーフェース支持タブの上記下部の前面表面と上記打撃フェースの上記背面との間の角度として測定される角度αが１０°より大きく、５０°より小さい請求項１２記載のゴルフクラブヘッド。
【請求項１６】
上記カンチレバーフェース支持タブのトウ方向に測定される幅Ｗが４ｍｍより大きく、２０ｍｍより小さい請求項１２記載のゴルフクラブヘッド。
【請求項１７】
上記カンチレバーフェース支持タブがトウ側に角度づけられて上記カンチレバーフェース支持タブの上記下部と接地面との間の角度Ｂを形成し、上記角度Ｂは８０°より小さい請求項１２記載のゴルフクラブヘッド。
【請求項１８】
上記カンチレバーフェース支持タブおよび上記打撃フェースの上記背面の間に形成されるコンタクトパッチの表面面積ＳＡが５ｍｍ２より大きい請求項１２記載のゴルフクラブヘッド。
【請求項１９】
上記カンチレバーフェース支持タブの上記上部は上記上部と上記打撃フェースの上記背面との間に位置付けられた摩擦減少部材を含み、当該摩擦減少部材は上記カンチレバーフェース支持タブの材料と異なる材料から構築される請求項１２記載のゴルフクラブヘッド。
【請求項２０】
上記ソール部の授記内面から上記カンチレバーフェース支持タブの頂部へ垂直に測定する深さＤが１０ｍｍより大きく、３０ｍｍより小さく、上記打撃フェースは２ｍｍより小さなフェース厚さＦＴを有する請求項１２記載のゴルフクラブヘッド。